(57)【要約】【課題】防止できる簡単な構造でありながら、通常はきめ細かく、水位調整ができるとともに豪雨時には雨水により自動的に排水口を止水し、下流位置の水害被害を防止できる水田貯水装置を提供することを目的とする。【解決手段】水田の排水口に設置する水田貯水装置であって、水田排水口を堰き止める止水体と、止水体を水田側から排水路側に連通した排水管体と、雨水受け容器とを備え、排水管体の取水口は雨水受け容器に溜まった雨水の重量にて所定の高さまで上昇するようになっていることを特徴とする。【選択図】  図１
2009100683.tif 000002
【特許請求の範囲】
【請求項１】
水田の排水口に設置する水田貯水装置であって、
水田排水口を堰き止める止水体と、止水体を水田側から排水路側に連通した排水管体と、雨水受け容器とを備え、
排水管体の取水口は雨水受け容器に溜まった雨水の重量にて所定の高さまで上昇するようになっていることを特徴とする水田貯水装置。
【請求項２】
排水管体は、回転継手部にて連結した取水口管の取水口の高さが上下動するようになっていることを特徴とする請求項１記載の水田貯水装置。
【請求項３】
排水管体は、取水口管の取水口の最下位高さを調整する取水口高さ調整手段を有していることを特徴とする請求項１又は２記載の水田貯水装置。
【請求項４】
排水管体は、取水口を有する取水口管と雨水受け容器とが滑車にて張設懸架されていることを特徴とする請求項１〜３のいずれかに記載の水田貯水装置。
【発明の詳細な説明】
【技術分野】
【０００１】
本発明は、通常時に水田の水面高さの調整に用いることができ、豪雨時には雨水により自動的に排水口を止水し、水田を貯水田として利用できる水田貯水装置に関する。
【背景技術】
【０００２】
水田には、降雨を一時的に貯留することで下流域の洪水被害を軽減する作用があることが知られている。
しかし、田干し時期には完全排水状態になっていて田の貯水作用が少ない。
また、最近は用水からの流入水量の調整にて水田の水管理をしている者も多く、従来と比較して水田の貯水効果が薄れている。
また、水田に潅水する場合にも、排水口に木片を当てて堰き止めているのが一般的であり、耐久性がなく漏水も多い。
これでは集中豪雨時には広い面積を有する田から河川にそのまま雨水が多量に流れ込み水害が発生しやすい。
また、集中豪雨等の悪天候時には水田に近づけないので木片による調整は困難であった。
特開平９−２３３９５９号公報には、水田水位を検知して用水から水田に給水する曲管を駆動する技術を開示するが、豪雨時に水田の貯水量を調整できるものでなく、また電気駆動であるため装置が複雑で高価であった。
【０００３】
【特許文献１】特開平９−２３３９５９号公報
【発明の開示】
【発明が解決しようとする課題】
【０００４】
本発明は上記技術的課題に鑑みて、簡単な構造でありながら、通常はきめ細かく水位調整ができるとともに、豪雨時には雨水により自動的に排水口を止水し、下流位置の水害被害を防止できる水田貯水装置を提供することを目的とする。
【課題を解決するための手段】
【０００５】
集中豪雨は一般的に一時的なものであり、長くても半日から１日程度である。
従って、その程度の短期間であれば田に水を貯水しても水稲等の作物に大きな被害を与えないことに着目し、一定量以上の雨水が降ると、その雨水の重量にて自動的に田の排水口を止水し、水田を貯水田として活用することを検討し、本発明に至った。
このような観点から本発明は、水田の排水口に設置する水田貯水装置であって、水田排水口を堰き止める止水体と、止水体を水田側から排水路側に連通した排水管体と、雨水受け容器とを備え、排水管体の取水口は雨水受け容器に溜まった雨水の重量にて所定の高さまで上昇するようになっていることを特徴とする。
ここで、取水口の高さは取水口を有する取水口管が回転継手部にて上下動するように排水管体を形成すると構造が簡単になる。
また、排水管体を構成する取水口管の取水口の最下位高さを調整する取水口高さ調整手段を設けると、通常時の水田の水位を調整することができる。
排水管体の取水口が雨水受け容器に溜まった雨水の重量にて所定の高さまで上昇する機構としては、取水口を有する取水口管と雨水受けとを滑車にて張設懸架すると構造が単純で、雨水重量にて自動的に取水口が上昇し、水田が貯水機能を有するようになる。
【発明の効果】
【０００６】
本発明に係る水田貯水装置においては、豪雨により雨水受け容器内に溜まった雨水重量にて取水口位置を上昇させることで水田の貯水可能量を増大させ、下流域における洪水などの水害被害を軽減できる。
水田貯水装置は、動力源を用いないシンプルな構造で安価に製造できるため、多数の水田に容易に設置できる。
このため、例えば豪雨対策の調整池を設ける場合に比較すると、格段に低コストに水害対策を行うことができる。
【０００７】
取水口管が回転継手部において回動して取水口を円弧状に上下に移動するようにすると取水口高さを連続的に簡単に調整して、水田水面高さをきめ細かく調整できるため水位管理しやすい。
【発明を実施するための最良の形態】
【０００８】
本発明に関する水田貯水装置１０の実施例について、図面を用いて説明する。
図１（ａ）は水田貯水装置１０を水田側となる方向から見た斜視図を示し、図１（ｂ）は排水桝などで水田排水口を設けた水田排水路側となる方向から見た斜視図を示す。
図７は水田貯水装置１０を田干し状態の水田１の水田排水口４に取り付けてある状態の説明図を示し、図７（ａ）は上方から見た状態を示し、図７（ｂ）は畦６の長さ方向から見た状態を示す。
また、図８には豪雨時における水田貯水装置１０の動作により水田１に雨水による水３を貯水した状態の説明図を示す。
水田排水装置１０は、水田排水口４を塞ぐように取り付けて水田１内の水を堰き止める止水体２０に、後述するように水田１側から水田排水口４に水田内の水を流すための排水管体４０を設けてあり、排水管体４０には後述するように雨水受け容器３１に貯留した雨水重量による駆動力によって駆動して排水管体４０の取水口４２を上昇させる駆動チェーン３２と滑車３３とを設けてある。
水田貯水装置１０は、図７に示すように排水桝５における水田排水口４の縁部５ａに止水体２０の縁部２１を沿わせて、この止水体縁部２１に畦土６ａを覆い被せて設置してある。
水田１に灌漑のために貯水する水面高さは、後述するように排水管体４０に設けてある係止チェーン２７を止水体２０の上部に取り付けてあるＶ溝部２６に係止する位置を変えて取水口４２の高さを変えることで調整する。
水田排水装置１０の水田排水口４への設置方法は、水田１から水田排水口４へ流れる水を止水体２０で堰き止めるように水田排水口４へ設置できればよく、このように排水桝５に設けた水田排水口４に設置するものに限定されない。
【０００９】
止水体２０は、箱形で箱内空間部２８の上方を上開口部２８ａで開口してあり、箱内空間部２８から水田排水口４の側に開口する出水口２５と、箱内空間部２８から水田１の側に開口する入水口２４とを設けてある。
排水管体４０は、固定曲管部４５の一端を止水体２０の入水口２４に連通して連結して、固定曲管部４５の他端に回転継手部４６の一端を連結して、回転継手部４６の他端に旋回曲管部４１を連結してある。
固定曲管部４５は、回転継手部４６の回転軸を田面２及び止水体２０の水田側の側面２２と平行にするようにＬ形に折り曲げてある。
旋回曲管部４１は、回転継手部４６に回転継手部４６の回転軸と直角方向に折り曲げたＬ形部４４の一端を連結し、先端に取水口４２を有する取水口管４３をＬ形部４４の他端に連結してあり、回転継手部４６における回動で取水口管４３を旋回して取水口管４３先端の取水口４２を上下に円弧状に移動可能としてある。
排水管体４０は、取水口４２から入水口２４まで連通してあり、入水口２４から排水口２５までは箱内空間部２８を通って連通してあり、取水口４２から取り入れた水を排水口２５から排水できる。
箱内空間部２８内には、図４（ａ）にＡ部の拡大図を示すように駆動チェーン３２の一端に上部を連結した雨水受け容器３１を吊り下げてあり、駆動チェーン３２は中間部を滑車３３に懸架させて、他端を旋回曲管部４１の取水口管４３に設けてある取付部３２ａに連結してある。
滑車３３は、止水体２０の水田側の側面２２から箱内空間部２８に貫通してある滑車取付穴２３に取り付けて、滑車取付穴２３を通した駆動チェーン３２の中間部を懸架してある。
図２は、雨水受け容器３１に雨水が溜まり、雨水重量により雨水受け容器３１が降下して旋回曲管部４１が回動し、取水口管４３が旋回して取水口４２が上昇した状態を示す。
また、図３は雨水重量により雨水受け容器が降下して取水口が上昇する動作説明図で、わかりやすくするために要部のみを描いてある。
雨水受け容器３１は、上方を開口した箱内空間部２８内で上方に開口して吊り下げてあり、箱内空間部２８内に降った雨水が雨水受け容器３１内に溜まるようにしてある。
旋回曲管部４１が自重によって回転継手部４６における回転で水田側に旋回しようとする力よりも、雨水受け容器３１が雨水を溜めて下降しようとする力が大きくなると、旋回曲管部４１は図７に示すような水田１の田面２側に取水口管４３を倒した状態から、雨水受け容器３１が下降して、駆動チェーン３２が取水口管４３を田面２側から起こすように引いて、取水口管４３が取水口４２を上昇させるように旋回する。
雨水受け容器３１の容量は、豪雨における所定量以上の降雨が生じた場合に、雨水受け容器３１内に溜まった雨水重量で旋回曲管部４１が回動して取水口管４３が旋回し、取水口４２が上昇するように設定してある。
豪雨が生じた際には、このように取水口４２の高さを高くして、水田１で貯水可能な水量を増大させ、図８に示すように水田１で豪雨の雨水による水３を貯水する。
この豪雨時の取水口４２の上昇構造は、雨水受け容器で溜めた雨水重量による駆動力で、取水口を所定の高さまで上昇するものであればよく、回転継手部における回転で取水口管を旋回させる取水口移動構造や、駆動チェーンと滑車を用いる駆動力伝達構造に限定されない。
また、雨水受け容器の構造も、所定量以上の降雨が時間的に集中して生じた場合に、例えば取水口管を旋回して取水口を上昇できる重量の雨水を溜めることができればよく限定されない。
水田１に貯水した水３の水面３ａが、取水口４２より高くなろうとした場合には取水口４２から水が取り込まれて水田排出口４へと排水できるので、畦６などから水田１に貯水した水３があふれることを防止する。
水田の管理者は、下流域での水害の恐れがなくなったと判断すれば、雨水受け容器３１内に溜まった雨水を空けて、旋回曲管部４１の自重で例えば図７に示すような田面２に臨む位置まで取水口４２を下降させる。
これにより、水田の水を取水口４２から水田排出口４へ排水する。
【００１０】
図１に示す状態では、旋回曲管部４１は取水口４２を横向きにした状態に係止チェーン２７で保持してある。
係止チェーン２７は、一端を取水口管４３に設けてある取付部２７ａに連結してあり、図４（ｂ）にＢ部の拡大図を示すように、係止チェーン２７の中間部は旋回曲管部４１が水平になるよう係止チェーン２７を上向きに引いた状態で、止水体２０の上部に取り付けてあるＶ溝部２６のＶ溝２６ａに係止してある。
図５は取水口４２を上向きにするように係止チェーン２７で旋回曲管部４１を保持した状態を示す。
係止チェーン２７の中間部をＶ溝部２６に係止した状態において、取水口４２の高さは、係止チェーン２７のＶ溝部２６と取付部２７ａとの間の長さ分だけ自重で取水口管４３が水田側に傾斜して最も取水口４２を低くした最下位高さに保持される。
このため、係止チェーン２７の中間部におけるＶ溝部２６への係止部位を変えることで図１に示す低い位置から、図５に示す高い位置の間で取水口４２の高さを連続的に調整できる。
図６は、取水口４２の高さを変えて水田１の水面高さを調整した状態の説明図を示す。
水田１に用水から水が供給されている場合には、水田１の水面３の高さは水を排水する取水口４２の高さで調整できる。
水田貯水装置１０は、取水口４２の高さを変えることで、図５、図６（ａ）に示すように水田１の水面３の高さを最も高くした状態から、図１、図６（ｄ）に示すように水田１内の水を全て排水して田干しできるまでの間において、水位を連続的に調整することができる。
図６に示す状態で豪雨が生じた場合にも、雨水受け容器３１に溜めた雨水重量により取水口管４３を旋回させて取水口４２を上昇させて、図６（ａ）に示す状態となるまで水田に貯水をすることができる。
【図面の簡単な説明】
【００１１】
【図１】（ａ）は水田貯水装置を水田側となる方向から見た斜視図を示し、（ｂ）は排水桝などの水田排水口側となる方向から見た斜視図を示す。
【図２】雨水受け容器に雨水が溜まり取水口が上昇した状態を示す。
【図３】雨水重量により雨水受け容器が降下して取水口が上昇する動作説明図を示す。
【図４】（ａ）はＡ部の拡大図を示し、（ｂ）はＢ部の拡大図を示す。
【図５】取水口の高さを変えて水田の水面高さを調整した状態の説明図を示す。
【図６】取水口を上向きにするように係止チェーンで旋回曲管部を保持した状態を示す。
【図７】水田貯水装置の水田の水田排水口への取付け状態の説明図を示す。
【図８】水田貯水装置により水田に雨水を貯水した状態の説明図を示す。
【符号の説明】
【００１２】
１      水田
２      田面
３      水田の水
３ａ    水田水面
４      水田排水口
５      排水桝
５ａ    水田排水口の縁部
６      畦
６ａ    畦土
１０    水田貯水装置
２０    止水体
２１    止水体縁部
２２    止水体の水田側の側面
２３    滑車取付穴
２４    入水口
２５    出水口
２６    Ｖ溝部
２６ａ  Ｖ溝
２７    係止チェーン
２７ａ  取付部
２８    箱内空間部
２８ａ  上開口部
３１    雨水受け容器
３１ａ  雨水受け容器に溜まった雨水
３２    駆動チェーン
３２ａ  取付部
３３    滑車
４０    排水管体
４１    旋回曲管部
４２    取水口
４３    取水口管
４４    Ｌ形部
４５    固定曲管部
４６    回転継手部
【図１】
2009100683.tif 000003
【図２】
2009100683.tif 000004
【図３】
2009100683.tif 000005
【図４】
2009100683.tif 000006
【図５】
2009100683.tif 000007
【図６】
2009100683.tif 000008
【図７】
2009100683.tif 000009
【図８】
2009100683.tif 000010